(57)【特許請求の範囲】
【請求項１】
浴室内外の境界に設けられ前記浴室の出入口を開閉自在に設けられ、前記出入口を開く際に、前記出入口と隣接する壁部の脱衣室側に設けられた引き込み領域に引き込まれる障子と、
前記障子が案内されるレールを備えた下枠と、
を有し、
前記下枠の上方に当該下枠と間隔を隔てて、前記壁部側から前記レール側に向かって突出し、前記壁部と前記レールとの間の前記下枠上の水を表面張力により前記壁部側に引き寄せる引水突出部と、
前記下枠と前記引水突出部との間の空間と前記出入口側の前記下枠上の空間とを連通する連通部と、
を有し、
前記下枠の上面は、前記レールより浴室側が前記浴室側に向かって高さが低くなる傾斜が設けられていることを特徴とする浴室建具。
【請求項２】
請求項１に記載の浴室建具であって、
前記壁部を構成して前記出入口を形成する縦骨を有し、
前記縦骨は、前記浴室外側に向けて突出され、閉じられた前記障子の戸尻框に当接されて前記縦骨と前記戸尻框との間を止水する止水部材を有しており、
前記連通部として、前記縦骨の前記止水部材より前記浴室側に、前記壁部側と前記出入口側とを連通する開口が設けられていることを特徴とする浴室建具。
【請求項３】
請求項２に記載の浴室建具であって、
前記連通部は、前記開口の前記出入口側にて当該開口と繋がって、前記水を前記浴室側に導水する浴室側導水部を有する導水部材を有していることを特徴とする浴室建具。
【請求項４】
請求項３に記載の浴室建具であって、
前記壁部は、壁面を形成する面材と、前記下枠に取り付けられるとともに前記面材の下端を保持する壁下枠を有し、
前記引水突出部は、前記壁下枠に設けられており、
前記開口は、前記縦骨の前記出入口側に偏らせて設けられており、
前記導水部材は、前記開口の前記壁部側にて当該開口と、前記下枠と前記引水突出部との間を繋ぎ、前記下枠と前記引水突出部との間の空間の前記水を、前記開口側に導水する壁部側導水部を有することを特徴とする浴室建具。
【発明の詳細な説明】
【技術分野】
【０００１】
本発明は、浴室の出入口を開閉自在に設けられた障子を有する浴室建具に関する。
【背景技術】
【０００２】
浴室の出入口を開閉自在に設けられた障子を有する浴室建具としては、浴室の出入口の位置よりも浴室の外側に引き戸の引き込み領域を備えた枠体を有する浴室建具が知られている。このような浴室建具は、引き込み領域の浴室側に設けられている防水性の内装パネルが、浴室建具の下枠に固定されている。また、下枠には、内装パネルの下方に見付け方向の全長に亘って排水溝が設けられており、引き込み領域に進入した水を、排水溝を介して下枠内から浴室側へ排出することが知られている（例えば、特許文献１参照）。
【先行技術文献】
【特許文献】
【０００３】
【特許文献１】特開平１０−７７７６９号公報
【発明の概要】
【発明が解決しようとする課題】
【０００４】
近年バリアフリーの観点から住居内に大きな段差が生じないようにすることが望まれている。ところが、浴室建具は、浴室側の水等が浴室外、例えば脱衣室側に進入することを防止するために、浴室側より浴室外側を高くすることが望ましい。また、上記従来の浴室建具のように、下枠の下方に排水溝などの排水構造を備えると、浴室と浴室外側との間にてより大きな高低差を設けなければならないという課題がある。一方、下枠の下方に排水溝等が設けられていない場合には、下枠上に水等が残留し易くなるという課題がある。
【０００５】
本発明は、かかる課題に鑑みてなされたものであり、その目的とするところは、浴室内外の高低差を設けつつも大きな段差を設けることなく、下枠上の水等を容易に排出することが可能な浴室建具を提供することにある。
【課題を解決するための手段】
【０００６】
かかる目的を達成するために本発明の浴室建具は、浴室内外の境界に設けられ前記浴室の出入口を開閉自在に設けられ、前記出入口を開く際に、前記出入口と隣接する壁部の脱衣室側に設けられた引き込み領域に引き込まれる障子と、前記障子が案内されるレールを備えた下枠と、を有し、前記下枠の上方に当該下枠と間隔を隔てて、前記壁部側から前記レール側に向かって突出し、前記壁部と前記レールとの間の前記下枠上の水を表面張力により前記壁部側に引き寄せる引水突出部と、前記下枠と前記引水突出部との間の空間と前記出入口側の前記下枠上の空間とを連通する連通部と、を有し、前記下枠の上面は、前記レールより浴室側が前記浴室側に向かって高さが低くなる傾斜が設けられていることを特徴とする浴室建具である。
【０００７】
このような浴室建具によれば、壁部とレールとの間の下枠上に進入した水は、壁部側に設けられ、下枠の上方に間隔を隔ててレール側に向かって突出した引水突出部により、水の表面張力にて、壁部側に位置する下枠と引水突出部との間の空間に引き寄せられる。このため、水等が下枠上にて離れて残留し難く、下枠と引水突出部との間の空間内にて繋がった状態で水を溜めることが可能である。このとき、下枠と引水突出部との間の空間は、上方に引水突出部が配置されるため、水が視認されにくくなる。このため、下枠上の水を溜めつつも見映えの良い浴室建具を提供することが可能である。
【０００８】
また、下枠と引水突出部との間の空間と出入口側の下枠上の空間とを連通する連通部を有しているので、下枠と引水突出部との間の空間に溜めた水を出入口側の下枠上に排出することが可能である。
【０００９】
さらに、下枠の上面は、レールより浴室側が浴室側に向かって高さが低くなるように傾斜しているので、浴室内外の間にて大きな段差を設けることなく高低差を設けることが可能である。そして、壁部とレールとの間の下枠上に進入した水は、下枠上に設けられた傾斜により壁部側に流れやすくなるため、壁部とレールとの間の下枠上に進入した水を下枠と引水突出部との間の空間に引き寄せることが可能である。また、下枠と引水突出部との間の空間に溜まった水が連通部を通して出入口側の下枠上に排出する際にも、連通部から水が排出され易くなる。このため、下枠の上面の排水性を向上させることが可能である。
【００１０】
かかる浴室建具であって、前記壁部を構成して前記出入口を形成する縦骨を有し、前記縦骨は、前記浴室外側に向けて突出され、閉じられた前記障子の戸尻框に当接されて前記縦骨と前記戸尻框との間を止水する止水部材を有しており、前記連通部として、前記縦骨の前記止水部材より前記浴室側に、前記壁部側と前記出入口側とを連通する開口が設けられていることが望ましい。
【００１１】
このような浴室建具によれば、壁部を構成する縦骨に設けられて、障子の戸尻框に当接して止水する止水部材が設けられているので、縦骨と障子の戸尻框との間を止水して浴室外側への水の進入を防止することが可能である。また、縦骨には、連通部として止水部材より浴室側に、壁部側と出入口側とを連通する開口が設けられているので、縦骨と障子の戸尻框との間の止水状態を維持したままで、下枠と引水突出部との間の空間に溜まった水が連通部としての開口を通して出入口側の下枠上に排出することが可能である。
【００１２】
かかる浴室建具であって、前記連通部は、前記開口の前記出入口側にて当該開口と繋がって、前記水を前記浴室側に導水する浴室側導水部を有する導水部材を有していることが望ましい。
【００１３】
このような浴室建具によれば、連通部は開口の出入口側にて当該開口と繋がる浴室側導水部を有する導水部材を有しているので、下枠と引水突出部との間の空間に溜まった水を浴室側に導水してより効果的に排出することが可能である。
【００１４】
かかる浴室建具であって、前記壁部は、壁面を形成する面材と、前記下枠に取り付けられるとともに前記面材の下端を保持する壁下枠を有し、前記引水突出部は、前記壁下枠に設けられており、前記開口は、前記縦骨の前記出入口側に偏らせて設けられており、前記導水部材は、前記開口の前記壁部側にて当該開口と、前記下枠と前記引水突出部との間を繋ぎ、前記下枠と前記引水突出部との間の空間の前記水を、前記開口側に導水する壁部側導水部を有することが望ましい。
【００１５】
このような浴室建具によれば、導水部材が、縦骨の出入口側に偏らせて設けられている開口の壁部側にて当該開口と、下枠と引水突出部との間を繋ぐ壁部側導水部を有しているので、下枠と引水突出部との間の空間の水が、引水突出部と開口との間で途切れることを防止することが可能である。このため、下枠と引水突出部との間の空間の水を、開口側に確実に導水することが可能である。また、壁部側導水部が、開口と、下枠と引水突出部との間を繋いでいるので、壁下枠の形状を引水突出部のみ開口側に突出させる必要がない。このため、壁下枠を簡単な形状にすることができるとともに、容易に加工することが可能である。
【発明の効果】
【００１６】
本発明によれば、浴室内外の高低差を設けつつも大きな段差を設けることなく、下枠上の水等を容易に排出することが可能な浴室建具を提供することが可能である。
【図面の簡単な説明】
【００１７】
【図１】本実施形態に係る浴室建具の縦断面図である。
【図２】本実施形態に係る浴室建具の横断面図である。
【図３】下枠の出入口側の部位を説明するための縦断面図である。
【図４】下枠の壁部側の部位を説明するための縦断面図である。
【図５】下枠の傾斜と連通部材を説明するための斜視図である。
【図６】図６（ａ）は、縦骨の下端部を下方から見た状態を示す斜視図であり、図６（ｂ）は、縦骨と連通部材にて形成された連通部を下方から見た状態を示す斜視図である。
【図７】浴室建具の下部を脱衣室側から見た斜視図である。
【図８】浴室建具の下部を浴室側から見た斜視図である。
【図９】図９（ａ）は、連通部材を示す斜視図であり、図９（ｂ）は、連通部材を下方から見た状態を示す斜視図である。
【図１０】図１０（ａ）は、レール側への突出量が大きな突出片が設けられている場合を示す縦断面図であり、図１０（ｂ）は、下枠上面部にノッチが設けられている場合を示す縦断面図であり、図１０（ｃ）は、突出片の下側にモヘアが設けられている場合を示す縦断面図である。
【図１１】下枠の変形例を示す縦断面図である。
【図１２】複数枚の障子を有する例を説明するための縦断面図である。
【発明を実施するための形態】
【００１８】
以下、本発明の一実施形態に係る浴室建具について図面を参照して説明する。
【００１９】
本実施形態の浴室建具１は、例えば、図１、図２に示すように、浴室外側となる脱衣室側から見て左側の領域が閉止可能な開口でなる出入口２をなし、右側の領域が壁部３をなして、壁部３の脱衣室側を見付け方向に沿って移動する障子５が、前記出入口２を開閉可能に構成された引き込み戸タイプの建具である。
【００２０】
以下の説明においては、建物等に取り付けられた状態の浴室建具１を浴室外側、すなわち脱衣室側から見たときに、上下となる方向を上下方向、左右となる方向を左右方向または見付け方向、浴室内外方向である奥行き方向を見込み方向として示す。また、建具１が備える各部材は、単体の状態であっても建物等に取り付けられた状態にて奥行き方向、左右方向、上下方向となる方向にて方向を特定して説明する。
【００２１】
浴室建具１は、浴室内外の境界に設けられる枠体１０と、枠体１０の浴室外側の部位にて見付け方向に移動可能に設けられ、枠体１０における見付け方向の約半分の領域を開閉自在に設けられた障子５と、枠体１０が有する下枠１４に見付け方向の全域に亘って設けられ、下枠１４と障子５との間を止水する下シール材２２と、壁部３と障子５との間を止水する止水部材としての縦シール材３２と、下枠１４の壁部３側と出入口２側とを連通する連通部５０を構成する連通部材５１と、を有している。
【００２２】
枠体１０は、左右の縦枠１１、１２と、上下の横枠１３、１４と、左右の縦枠１１、１２のほぼ中央に設けられた縦骨２０と、を有している。縦骨２０は、見込み方向において左の縦枠１１の幅のほぼ半分の幅を有し、浴室内側に設けられており、右の縦枠１２は見込み方向において左の縦枠１１の幅のほぼ半分の幅を有し、浴室外側に設けられている。
【００２３】
そして、縦骨２０の浴室外側の部位と右側の縦枠１２の浴室側の部位とは、見込み方向における中央近傍にて、見付け方向に対向するように配置されており、この対向する部位にて端部が支持されて、壁部３の浴室外側となる脱衣室側の壁面２１ａをなす面材２１が設けられている。
【００２４】
下枠１４は、躯体(不図示)に支持されるとともに、図１に示すように、脱衣室側に設けられた額縁３０と浴室に設けられた防水パン３５との間に架け渡されている。
【００２５】
下枠１４は、レール１７ｄが設けられている下枠本体１６と、図４に示すように、下枠本体１６に固定され、出入口２と隣接する壁部３（図２）の脱衣室側の壁面２１ａを形成する面材２１の下端が挿入される壁下枠１５とを有している。
【００２６】
下枠本体１６は、図３に示すように、額縁３０（図１）の上部に配置される額縁覆部１９と、上方に突出して障子５を案内するレール１７ｄが設けられている下枠平板部１７と、額縁覆部１９と下枠平板部１７との間には下シール材２２が嵌合される下シール材嵌合部１８とを有している。
【００２７】
額縁覆部１９と下シール材嵌合部１８の上面とはほぼ同じ高さをなしており、下シール材嵌合部１８には下方に窪む嵌合溝１８ａが設けられている。
【００２８】
下枠平板部１７の脱衣室側の端部は、額縁覆部１９及び下シール材嵌合部１８の上面より僅かに低い位置にて下シール材嵌合部１８と繋がっている。ここで、下枠平板部１７の脱衣室側の端部と、額縁覆部１９及び下シール材嵌合部１８の上面との高さの差は、例えば、住宅性能表示において５等級として認定される段差の高さである５ｍｍ以下に設定されている。
【００２９】
下枠平板部１７は、図５に示すように、脱衣室側から見て縦骨２０より左側の出入口２側の部位が浴室に至るように形成されており、縦骨２０より右側の壁部３側の部位は壁部３の脱衣室側の壁面２１ａをなす面材２１の下端が挿入される壁下枠１５と内側シール材３１を介して突起１７ｇが係合している。すなわち、下枠平板部１７は、見込み方向の長さが、出入口２側が長く、壁部３側が短く形成されている。
【００３０】
下枠平板部１７の出入口２側の部位は、レール１７ｄが脱衣室側にて突出している下枠上面部１７ａと、下枠上面部１７ａの浴室側端部から垂設された鉛直壁部１７ｂと、鉛直壁部１７ｂの下端から水平方向に向かって脱衣室側に延出された延出部１７ｃと、を有している。
【００３１】
下枠平板部１７の壁部３側の部位は、浴室側の端部より脱衣室側に下方に垂設されて壁下枠１５がビス止めされる壁下枠取付部１７ｅが設けられている。すなわち、下枠平板部１７の壁部３側の部位は、浴室側の端部が、壁下枠取付部１７ｅより浴室側に突出している。
【００３２】
下枠上面部１７ａのレール１７ｄは、当該レール１７ｄ上に移動可能に配置された障子５の下框５ａと下シール材嵌合部１８とが僅かに間隔を隔てるように配置されており、レール１７ｄに案内されて移動する障子５は、左側に移動されて浴室の出入口２を閉止し、右側に移動されて壁部３の脱衣室側に引き込まれるとともに、浴室の出入口２を開放するように構成されている。すなわち、下枠平板部１７の壁部３側の部位の領域が、障子５の引き込み領域に相当する。
【００３３】
そして、下枠上面部１７ａは、レール１７ｄと下シール材嵌合部１８との間の下枠上面部１７ａがほぼ水平に形成され、レール１７ｄより浴室側には、脱衣室側から浴室側に向かって高さが低くなる傾斜が設けられた傾斜部１７ｆが設けられている。傾斜部１７ｆは、出入口２の見込み方向において、例えば壁部３の厚さのほぼ半分の位置にて、互いに傾斜が異なる２つの部位を有しており、傾斜部１７ｆの脱衣室側の部位である脱衣室側傾斜部１７ｉの傾斜の方が、傾斜部１７ｆの浴室側の部位である浴室側傾斜部１７ｊの傾斜より小さく形成されている。ここで、傾斜部１７ｆは、例えば、水のレール１７ｄ側へ進入をより効果的に抑えるために、浴室側では傾斜を大きくしつつも傾斜が大きくなり過ぎて段差とならない角度とし、脱衣室側は浴室側より緩やかな傾斜をなすように形成されている。
【００３４】
そして、下枠平板部１７の浴室側は、浴室の床をなす防水パン３５（図１）の脱衣室側に設けられた溝部３５ａに鉛直壁部１７ｂと延出部１７ｃとが収容されている。
【００３５】
防水パン３５の溝部３５ａは、出入口２と隣接する壁部３と見付け方向に沿って並べて設けられ、浴室側の内壁面３３ａと下枠平板部１７の鉛直壁部１７ｂの浴室側の面がほぼ面一になるように構成されている。そして、延出部１７ｃは溝部３５ａの底３５ｂに載置されて、鉛直壁部１７ｂが溝部３５ａの浴室側の壁３５ｃと対向するように配置され、下枠上面部１７ａと鉛直壁部１７ｂとの繋がった部位と、浴室の床をなす防水パン３５の上面とはほぼ同じ高さになるように構成されている。
【００３６】
壁下枠１５は、図４に示すように、縦骨２０及び右縦枠１２と繋がった、面材２１の端部の収容部１５ｂを有する壁下枠本体１５ａと、壁下枠本体１５ａの下側に設けられ、下枠平板部１７の壁部３側の部位が挿入される、脱衣室側に開放された凹部１５ｃと、凹部１５ｃ内に内側シール材３１を保持するためのシール材嵌合部１５ｄと、壁下枠本体１５ａの下端から凹部１５ｃに挿入された下枠平板部１７の上方に、レール１７ｄ側に向かって突出された引水突出部としての突出片１５ｅと、凹部１５ｃから下方に垂設されて下枠本体１６の壁下枠取付部１７ｅにビス止めされる壁下枠固定部１５ｆと、を有している。
【００３７】
壁下枠１５は、壁下枠固定部１５ｆが、下枠本体１６の壁下枠取付部１７ｅにビス止めされると、下枠平板部１７の突起１７ｇが壁下枠１５の凹部１５ｃに入り込むとともに、凹部１５ｃ内に設けられている内側シール材３１を圧縮するように内側シール材３１に当接される。これにより、下枠上面部１７ａにおける壁部３の脱衣室側に進入した水は、壁部３側から下方に流れることなく壁下枠１５に沿って、下枠上面部１７ａと突出片１５ｅの下面との間の空間に溜まるように構成されている。
【００３８】
また、下枠上面部１７ａ上には、上方に間隔を隔ててレール１７ｄ側に向かって突出された突出片１５ｅは、突出片１５ｅの先端と下枠上面部１７ａとの距離が２〜３ｍｍに設定されている。このため、壁部３とレール１７ｄとの間、すなわち、引き込み領域に進入した水が、下枠上面部１７ａの傾斜により壁部３側に導かれ、突出片１５ｅの先端に達すると、水の表面張力により壁部３側に引き寄せられるように構成されている。
【００３９】
下シール材２２は、下枠本体１６の下シール材嵌合部１８に設けられた嵌合溝１８ａに嵌合される嵌合部２２ａと、嵌合部２２ａから鉛直方向に立接されて脱衣室側への水の進入を防止する水返し部２２ｂと、嵌合部２２ａの上端から浴室側に延出されて障子５の下框５ａに摺接される障子側止水部２２ｃと、を有している。そして、障子５がレール１７ｄに沿って移動する間には、下枠１４に設けられた下シール材２２の障子側止水部２２ｃが下框５ａに脱衣室側から摺接するように構成されている。
【００４０】
縦骨２０は、浴室の内壁３３と繋がった面を有する浴室側壁部２０ａと、浴室の出入口２を形成し浴室側壁部２０ａの出入口２側の端から脱衣室側に延びる出入口側壁部２０ｂと、出入口側壁部２０ｂの脱衣室側の端から右縦枠１２の方向に延出された脱衣室側壁部２０ｃと、脱衣室側壁部２０ｃの右縦枠１２側の端部に設けられた面材支持部２０ｄと、脱衣室側壁部２０ｃの出入口側に偏らせて配置され、脱衣室側に向かって突出された縦シール材嵌合部２０ｇと、縦シール材嵌合部２０ｇの脱衣室側の端部から右縦枠方向に延出された引き寄せ片２０ｈとを有している。
【００４１】
面材支持部２０ｄは、面材２１の浴室側の面２１ｂが当接される面材当接部２０ｅと、面材当接部２０ｅの出入口２側に設けられ面材２１を脱衣室側から支持する押縁２３が嵌合される押縁嵌合部２０ｆと、を有している。この面材支持部２０ｄは、右縦枠１２に設けられて左右方向が反転した対称形状に形成された面材支持部１２ａとともに、押縁２３が嵌合されて面材２１を支持している。
【００４２】
脱衣室側壁部２０ｃに設けられた縦シール材嵌合部２０ｇは、脱衣室側壁部２０ｃの出入口２側の端部に、上下方向に沿って、障子５が有する戸尻框５ｂの浴室側の面に当接される縦シール材３２が嵌合される嵌合溝部２０ｉが、脱衣室側壁部２０ｃから脱衣室側に延出された延出部２０ｊを介して設けられている。
【００４３】
縦骨２０は、下端において、浴室側壁部２０ａ、出入口側壁部２０ｂ、脱衣室側壁部２０ｃ、及び、面材支持部２０ｄが、縦シール材嵌合部２０ｇ、及び、引き寄せ片２０ｈより下方に長く形成されている。そして、下枠１４に縦骨２０が接合されると、縦シール材嵌合部２０ｇ、及び、引き寄せ片２０ｈの下端が下枠上面部１７ａに当接されるように構成されている。また、縦シール材嵌合部２０ｇの浴室側となる延出部２０ｊの下端には、図６に示すように、脱衣室側壁部２０ｃと嵌合溝部２０ｉとの間が上方に切り欠かれた切欠部２０ｋが形成されており、延出部２０ｊには、切欠部２０ｋとともに、下枠上面部１７ａ上において壁部３側と出入口２側とを連通する連通部５０を形成する導水部材としての連通部材５１が取り付けられるように構成されている。ここで、縦骨２０と下枠１４とが接合された際に、下枠上面部１７ａと切欠部２０ｋとで形成される開口が、縦骨２０の縦シール材３２より浴室側に、壁部３側と出入口２側とを連通する連通部５０をなす開口に相当する。
【００４４】
連通部材５１は、図５、図７、図８に示すように、脱衣室側壁部２０ｃの脱衣室側にて脱衣室側壁部２０ｃに沿って設けられ、縦骨２０の切欠部２０ｋの壁部３側と繋がるように形成された壁部側導水部５２と、出入口側壁部２０ｂの出入口側に出入口側壁部２０ｂに沿って設けられ、縦骨２０の切欠部２０ｋの出入口側と繋がるように形成された浴室側導水部としての出入口側導水部５３と、図６、図９に示すように、壁部側導水部５２と出入口側導水部５３とを連結し切欠部２０ｋと係合される連結部５４とを有している。
【００４５】
壁部側導水部５２は、脱衣室側壁部２０ｃと見込み方向に、突出片１５ｅの突出量とほぼ同じ間隔を隔てて脱衣室側に設けられた壁部側鉛直壁５２ａと、壁部側鉛直壁５２ａの上端から浴室側に延出され壁部側鉛直壁５２ａと脱衣室側壁部２０ｃとの間を覆うように形成された壁部側上部５２ｂとを有している。
【００４６】
出入口側導水部５３は、出入口側壁部２０ｂの見付け方向の出入口側に配置され、壁部側導水部５２とほぼ同様に出入口側壁部２０ｂと間隔を隔てた出入口側鉛直壁５３ａと、出入口側鉛直壁５３ａの上端から出入口側壁部２０ｂ側に延出され出入口側鉛直壁５３ａと出入口側壁部２０ｂとの間を覆うように形成された出入口側上部５３ｂとを有している。出入口側鉛直壁５３ａは、脱衣室側において湾曲して先端が縦骨２０の縦シール材嵌合部２０ｇに近接するとように形成されている。
【００４７】
連結部５４は、縦骨２０の下側にて凹部に入り込み壁部側上部５２ｂと出入口側上部５３ｂとを繋ぐ上部連結部５４ａと、上部連結部５４ａから上方に延出されて縦骨２０の延出部２０ｊに挿入される連結挿入部５４ｂとを有している。
【００４８】
すなわち、連通部材５１は、壁部３側にて上方と脱衣室側を区画する断面Ｌ字状の部位と下枠上面部１７ａと脱衣室側壁部２０ｃとが切欠部２０ｋに繋がる流路を形成し、切欠部２０ｋに挿入されている連結部５４と下枠上面部１７ａの間を介して、出入口２側にて上方と脱衣室側及び出入口側を区画する断面Ｌ字状の部位と下枠上面部１７ａと出入口側壁部２０ｂとが浴室に向かう流路を形成している。このため、壁下枠１５の突出片１５ｅに引き込まれた水を、連通部材５１を介して浴室側に導くように形成されている。このとき、出入口側導水部５３の出入口側鉛直壁５３ａの浴室側における端部は、傾斜部１７ｆの傾きが変わる境界部分に位置しているため、下枠上面部１７ａと突出片１５ｅの下面との間の空間に溜まった水が連通部材５１を通って連通部材５１の浴室側の端部に至ると、傾斜部１７ｆの傾斜の変化により浴室側に引き寄せられて排水される。
【００４９】
本実施形態の浴室建具１によれば、壁部３とレール１７ｄとの間の下枠上面部１７ａ上に進入した水は、壁部３側に設けられ、下枠１４の上方に間隔を隔ててレール１７ｄ側に向かって突出した突出片１５ｅにより、水の表面張力にて、壁部３側に位置する下枠上面部１７ａと突出片１５ｅの下面との間の空間に引き寄せられる。このため、水等が壁部３とレール１７ｄとの間の下枠上面部１７ａ上にて離れて残留し難く、下枠上面部１７ａと突出片１５ｅの下面との間の空間内にて繋がった状態で水を溜めることが可能である。このとき、下枠上面部１７ａと突出片１５ｅの下面との間の空間は、上方に突出片１５ｅが配置されるため、水が視認されにくくなる。このため、下枠上面部１７ａの水を溜めつつも見映えの良い浴室建具１を提供することが可能である。
【００５０】
また、下枠上面部１７ａと突出片１５ｅの下面との間の空間と出入口２側の下枠上面部１７ａの空間とを連通する連通部５０を有しているので、下枠上面部１７ａと突出片１５ｅの下面との間の空間に溜めた水を出入口２側の下枠上面部１７ａ上に排出することが可能である。
【００５１】
さらに、下枠上面部１７ａの上面は、レール１７ｄより浴室側が浴室側に向かって高さが低くなるように傾斜しているので、浴室と脱衣室との間にて大きな段差を設けることなく高低差を設けることが可能である。そして、壁部３とレール１７ｄとの間の下枠上面部１７ａ上に進入した水は、下枠上面部１７ａに設けられた傾斜により壁部３側に流れやすくなるため、壁部３とレール１７ｄとの間の下枠上面部１７ａ上に進入した水を下枠上面部１７ａと突出片１５ｅの下面との間の空間に引き寄せることが可能である。
【００５２】
また、出入口側導水部５３の出入口側鉛直壁５３ａの浴室側における端部が、傾斜部１７ｆの傾きが変わる境界部分に位置するように構成したので、下枠上面部１７ａと突出片１５ｅの下面との間の空間に溜まり連通部材５１を通って連通部材５１の浴室側の端部に至った水を、傾斜部１７ｆの傾斜の変化により浴室側に引き寄せて、効果的に排水することが可能である。このため、下枠上面部１７ａの上面の排水性を向上させることが可能である。
【００５３】
また、壁部３を構成する縦骨２０に設けられて、障子５の戸尻框５ｂに当接して止水する縦シール材３２が設けられているので、縦骨２０と障子５の戸尻框５ｂとの間を止水して脱衣室側への水の進入を防止することが可能である。また、縦骨２０には、連通部５０として縦シール材３２より浴室側に、壁部３側と出入口２側とを連通する切欠部２０ｋが設けられているので、縦骨２０と障子５の戸尻框５ｂとの間の止水状態を維持したままで、下枠上面部１７ａと突出片１５ｅの下面との間の空間に溜まった水が連通部５０を通して出入口２側の下枠上面部１７ａ上に排出することが可能である。
【００５４】
また、連通部５０は、下枠上面部１７ａと切欠部２０ｋで形成される開口の出入口２側にて当該開口と繋がる出入口側導水部５３を有する連通部材５１を有しているので、下枠上面部１７ａと突出片１５ｅの下面との間の空間に溜まった水を浴室側に導水してより排出し易くすることが可能である。
【００５５】
また、連通部材５１が、縦骨２０の出入口２側に偏らせて設けられている下枠上面部１７ａと切欠部２０ｋで形成される開口の壁部３側にて当該開口と、下枠上面部１７ａと突出片１５ｅの下面との間の空間との間を繋ぐ壁部側導水部５２を有しているので、下枠上面部１７ａと突出片１５ｅの下面との間の空間の水が、突出片１５ｅと、下枠上面部１７ａと切欠部２０ｋで形成される開口との間で途切れることを防止することが可能である。このため、下枠上面部１７ａと突出片１５ｅの下面との間の空間の水を、下枠上面部１７ａと切欠部２０ｋで形成される開口側に確実に導水することが可能である。また、壁部側導水部５２が、下枠上面部１７ａと切欠部２０ｋで形成される開口と、下枠上面部１７ａと突出片１５ｅとの間を繋いでいるので、壁下枠１５の形状を突出片１５ｅのみ開口側、すなわち、縦シール材嵌合部２０ｇ側に突出させる必要がない。このため、壁下枠１５を簡単な形状にすることができるとともに、容易に加工することが可能である。
【００５６】
上記実施形態においては、突出片１５ｅのレール１７ｄ側への突出量が比較的小さな例について説明したが、図１０（ａ）に示すように、突出片１５ｅの先端が、下枠上面部１７ａと接触することなく、水が内側シール材３１側に引き寄せられれば、よりレール１７ｄ側に突出していても良い。この場合には、下枠上面部１７ａ上のより多くの水を、下枠上面部１７ａと突出片１５ｅの下面との間の空間に溜めることが可能である。また、下枠上面部１７ａ上に存在する水が、より広い範囲において突出片１５ｅに覆われるので、下枠上面部１７ａ上の水をより視認されにくくすることが可能である。
【００５７】
また、上記実施形態においては、突出片１５ｅにて、下枠上面部１７ａの水を、下枠上面部１７ａと突出片１５ｅの下面との間の空間に引き寄せる例について説明したが、図１０（ｂ）に示すように、突出片１５ｅと対向する下枠上面部１７ａにノッチ１７ｌを設けることにより、下枠上面部１７ａと突出片１５ｅの下面との間の空間に引き寄せた水を、見付け方向に繋がるように留めることが可能である。また、突出片１５ｅの下側に、水をより引き寄せやすくする引導部材として、例えば、繊維が起毛状（ブラシ状）をなすモヘア３６を設けてもよい。このとき、突出片１５ｅの下面には、モヘア３６を取り付けるためのモヘア取付部１５ｇが設けられている。この場合には、下枠上面部１７ａ上の水がモヘア３６と接触すると、水は下枠上面部１７ａ状に留まろうとする表面張力が破壊されてモヘア３６に吸収されるため、水を下枠上面部１７ａと突出片１５ｅの下面との間の空間に、より効果的に引き寄せることが可能である。
【００５８】
上記実施形態においては、下枠平板部１７の出入口２側の部位における浴室側の端部が、浴室の内壁面３３ａより浴室側により突出することなく溝部３５ａに収容される例について説明したが、図１１に示すように、下枠平板部１７の出入口２側の部位における浴室側の端部が、浴室内側に突出して溝部３５ａを越えて浴室内側に至るカバー突起１７ｋが設けられていてもよい。この場合には、下枠１４に設けられたカバー突起１７ｋにより溝部３５ａが覆われるので、より見映えの良い浴室建具１を提供することが可能である。
【００５９】
また、上記実施形態においては、出入口２を開閉可能な障子５を１枚備えた浴室建具１の例について説明したが、図１２に示すように、下枠１４が、見込み方向に並べて設けられた複数のレール１７ｄを有しており、この複数のレール１７ｄの各々に沿って移動可能な障子５が設けられていてもよい。
【００６０】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６１】
１  浴室建具、２  出入口、３  壁部、５  障子、５ｂ  戸尻框、１４  下枠、
１５  壁下枠、１５ｅ  突出片、１７  下枠平板部、１７ａ  下枠上面部、
１７ｄ  レール、１７ｆ  傾斜部、２０  縦骨、２０ｋ  切欠部、２１  面材、
２２  下シール材、３２  縦シール材、３５  防水パン、５０  連通部、
５１  連通部材、５２  壁部側連通部、５３  出入口側連通部
【図１】
0005506725.tif 000002
【図２】
0005506725.tif 000003
【図３】
0005506725.tif 000004
【図４】
0005506725.tif 000005
【図５】
0005506725.tif 000006
【図６】
0005506725.tif 000007
【図７】
0005506725.tif 000008
【図８】
0005506725.tif 000009
【図９】
0005506725.tif 000010
【図１０】
0005506725.tif 000011
【図１１】
0005506725.tif 000012
【図１２】
0005506725.tif 000013